(57)【要約】【課題】比較的簡単な連動制御装置によって、作業者個人個人の管理という深みにまで立ち入ることなく、作業者自身におけるモラルの高低にいたずらに流されることなく、作業者が一定の消毒工程を通過することにより、ＢＣＲ内に外部から汚染物質が入り込むという虞をなくすための消毒室の連動制御装置を提供すること。【解決手段】消毒槽、アルコール消毒器、自動扉に連動センサを取り付け、消毒槽に浮かんだフロートを握り、所定時間前記消毒槽内に沈めると、完了の表示とブザーの鳴動が生じる工程と、アルコール消毒器は独自のセンサを有し、手の平を感知したときにアルコール消毒液を塗布する工程と、アルコール消毒器から手を抜くと、バイオクリーンルームへの自動扉が開く工程とからなり、また、前記消毒槽のフロートはこれを握り、一定角度まで動かさないと前記連動センサの開始の信号が入力しないこと。【選択図】図１
2008022965.tif 000002
【特許請求の範囲】
【請求項１】
消毒槽、アルコール消毒器、自動扉に連動センサを取り付けた、消毒室において、消毒槽に浮かんだフロートを握り、所定時間前記消毒槽内に沈めると、完了のアルコール消毒器は独自のセンサを有し、手の平を感知したときにアルコール消毒液を塗布する工程と、アルコール消毒器から手を抜く工程と、バイオクリーンルームへの自動扉が開く工程とからなることを特徴とする消毒室の連動制御装置。
【請求項２】
前記消毒槽のフロートはこれを握り、一定角度まで動かさないと前記連動センサの開始の信号が入力しないことを特徴とする請求項１記載の消毒室の連動制御装置。
【発明の詳細な説明】
【技術分野】
【０００１】
食品工場や製薬工場などにおける、外部からの汚染物質である、細菌などの微生物汚染の広がりや作業者からの汚染を防止するために、バイオクリーンルーム（ＢＣＲ）内における衛生を維持するための消毒室の連動制御装置に関するものである。
【背景技術】
【０００２】
従来、食品工場や製薬工場などは、細菌などの微生物汚染を防止するために、外部からの汚染物質の持ち込みや作業者からの汚染を防止するため、バイオクリーンルーム（ＢＣＲ）内において、衛生に留意して操業を行っている。
【０００３】
従って、ＢＣＲに入室する場合には、外部からの汚染を持ち込みを防止するために、必ず手洗いや消毒を行うことが義務付けられている。
【０００４】
しかし、この手洗いや消毒の実行というのは作業者に衛生管理の重要性を教育して、作業者自身の良識つまりモラルの向上を図るか、あるいは特許文献１に示すように、作業者のＩＤカードを識別して作業者個人と一々照らし合わせて入室を許可するという具合に、手洗いや消毒の持つ意味である、ＢＣＲへの入室するには、外部からの汚染を持ち込みを防止するという目的から些か掛け離れた個人管理に陥っていた。
【特許文献１】特開２００１ー２９２９１８
【発明の開示】
【発明が解決しようとする課題】
【０００５】
本発明は、比較的簡単な連動制御装置によって、作業者個人個人の管理という深みにまで立ち入ることなく、作業者自身におけるモラルの高低にいたずらに流されることなく、作業者が一定の消毒工程を通過することにより、ＢＣＲ内に外部から汚染物質が入り込むという虞をなくすための消毒室の連動制御装置を提供することを目的とするものである。
【課題を解決するための手段】
【０００６】
第一の発明は、消毒槽、アルコール消毒器、自動扉に連動センサを取り付けた消毒室において、消毒槽に浮かんだフロートを握り、所定時間前記消毒槽内に沈めると、完了の表示とブザーの鳴動が生じる工程と、アルコール消毒器は独自のセンサを有し、手の平を感知したときにアルコール消毒液を塗布する工程と、アルコール消毒器から手を抜く工程と、バイオクリーンルームへの自動扉が開く工程とからなることを特徴とする。
【０００７】
このことにより、従業員が所定の消毒工程を踏むことによって、いたずらに管理されることなく、またモラルの高低に係わらず、自らがＢＣＲへの入室許可を得た者として扱われる。
【０００８】
第二の発明は、前記消毒槽のフロートはこれを握り、一定角度まで動かさないと前記連動センサの開始の信号が入力しないことを特徴とする。
【０００９】
このことにより、連動する一連の消毒システムが、具体的なフロートという物体を所定角度動かすことによって、開始されるという誰でも分かりやすい作業となって、システムに入り込むことができる。
【発明の効果】
【００１０】
本発明の、消毒室の連動制御装置によって、従業員が所定の消毒工程を踏むことによって、いたずらに管理されることなく、またモラルの高低に係わらず、自らがＢＣＲへの入室許可を得た者として扱われることとなり、また、連動する一連の消毒システムが、具体的なフロートという物体を所定角度動かすことによって、開始されるという誰でも分かりやすい作業となって、システムに入り込むことができる。
【発明を実施するための最良の形態】
【００１１】
先ず、図１は、本発明の消毒室の連動制御装置における、消毒室１１における手洗い槽９並びに消毒槽２’を並立してなる、洗浄槽１とが示されている。図２に示すように、作業者の消毒室でおこなうべきバイオクリーンルーム（ＢＣＲ）に入室するまでに行うべき手順が、連動制御の無い場合と、連動制御の有る場合とが記されている。
【００１２】
洗浄槽１には、まず本発明に掛かる消毒室の連動制御装置とは切り離された所の、一般的な手洗い槽９があり、ここにおいて自動水栓から水が、また自動水石鹸器から石鹸水溶液がそれぞれ出され、前段階としての手洗いを作業員が行うことができるものである。そして、次段階として本発明に掛かる消毒室の連動制御装置の工程が開始する。先ず、消毒槽２’に浮かぶフロート２と、そのフロート２，２に繋がる紐３’，３’と、その紐３’，３’の付け根にケーブル３が設けられている。
【００１３】
ケーブル３は、ブラックボックスである制御盤４に繋がっており、この制御盤４において、前記フロート２，２に対する所定の操作、即ち、一定角度以上の角度を紐３’，３’にもたせることを、所定時間、すなわち１０秒間したときに、完了の表示とブザーが鳴り作業者に知らしめるものである。さらに、信号が発せられて、隣のアルコール消毒器５に対してアルコール消毒液塗布の許可が降り、ここにおいて、アルコール消毒器は独自のセンサーで感知した手のひらに対して、アルコール消毒液を塗布するものである。
【００１４】
そして、このアルコール消毒器５から手を抜くと、前記の該アルコール消毒器５と電子的に繋がっている制御盤４から信号が発せられて、自動扉６が開くものである。このことによって、手のひらの衛生上の懸念を払拭して、バイオクリーンルーム（ＢＣＲ）１０に入室可能となることができるものである。
【００１５】
このように、消毒槽２’において、フロート２，２を握り所定角度動かすことによって、タイマーがスタートし、所定時間の十秒を経過すると、完了の表示及びブザーが鳴り、次にアルコール消毒器５に両手を入れて、アルコールを散布され、アルコール消毒器から両手を抜くと、自動扉６が開くという、一連の工程を経た後でないと自動扉が開かないという、言わば本発明の消毒操作を決められた手順で行った時、扉が開くというものであり、確実に消毒を義務付けるものである。
【産業上の利用可能性】
【００１６】
一連の工程を踏むことにより、入室なりの許可が降りるというシステムにより、徒に個人個人わ管理することなく、しかし、管理であるには違いないという、言わば緩やかな管理システムということで応用の効くものとなるものである。
【図面の簡単な説明】
【００１７】
【図１】本発明の消毒室の連動制御装置に掛かる、消毒室の全体図である。
【図２】作業者の消毒室で行うべき、バイオクリーンルームに入るまでの手順を示す図である。
【符号の説明】
【００１８】
１                        洗浄槽
２                        フロート
２’                      消毒槽
３                        ケーブル
３’                      紐
４                        制御盤
５                        アルコール消毒器
６                        自動扉
７                        自動水石鹸器
８                        自動水栓
９                        手洗い槽
１０                      バイオクリーンルーム（ＢＣＲ）
１１                      消毒室
【図１】
2008022965.tif 000003
【図２】
2008022965.tif 000004